(57)【要約】１つまたは複数の抗細菌部品を有する生ごみディスポーザが開示される。部品は、金属、プラスチック、またはゴムであることができ、好ましくは、少なくとも、ディスポーザの操作またはメンテナンス中にユーザが接触する可能性がある部品、および／または生ごみと接触する部品を構成する。プラスチックおよびゴム部品は、抗細菌薬剤を埋め込まれるか、または抗細菌薬剤でコーティングされることができる。金属部品は、好ましくは、粉末コーティングされる。こうした抗細菌処理が役立つことができるディスポーザ内の例示的な部品は、金属破砕板、金属破砕リング、ゴム取り付けガスケット、ゴム振動絶縁マウント、ゴム振動絶縁テールパイプ継手、およびプラスチック放出出口、および関連するゴムシールを含む。
2006528054.tif 000002
【特許請求の範囲】
【請求項１】
生ごみを分解するための粉砕室と、
生ごみに接触する金属部品とを備え、該金属部品が、細菌の増殖を抑制するように処理される、生ごみディスポーザ。
【請求項２】
金属部品が、抗細菌被覆で処理される、請求項１に記載の生ごみディスポーザ。
【請求項３】
抗細菌被覆が、銀を含有する、請求項２に記載の生ごみディスポーザ。
【請求項４】
抗細菌被覆が、抗細菌金属を含む、請求項２に記載の生ごみディスポーザ。
【請求項５】
抗細菌被覆が、ロールコーティングされる、請求項２に記載の生ごみディスポーザ。
【請求項６】
抗細菌被覆が、粉末コーティングされる、請求項２に記載の生ごみディスポーザ。
【請求項７】
抗細菌被覆が、炭化水素結合剤を含む、請求項６に記載の生ごみディスポーザ。
【請求項８】
金属部品が、粉砕室内に破砕板を含む、請求項１に記載の生ごみディスポーザ。
【請求項９】
金属部品が、粉砕室の内側に固定された破砕リングを含む、請求項１に記載の生ごみディスポーザ。
【請求項１０】
金属部品が、生ごみを粉砕室へ送る入口ハウジングを含む、請求項１に記載の生ごみディスポーザ。
【請求項１１】
金属部品が、粉砕室内に収容される破砕板に固定された粉砕ラグを含む、請求項１に記載の生ごみディスポーザ。
【請求項１２】
金属部品が、食器洗浄機の入口を含む、請求項１に記載の生ごみディスポーザ。
【請求項１３】
生ごみを分解するための粉砕室と、
生ごみに接触するプラスチック部品とを備え、プラスチック部品が、細菌の増殖を抑制するように処理される、生ごみディスポーザ。
【請求項１４】
プラスチック部品が、抗細菌被覆で処理される、請求項１３に記載の生ごみディスポーザ。
【請求項１５】
抗細菌被覆が、銀を含有する、請求項１４に記載の生ごみディスポーザ。
【請求項１６】
抗細菌被覆が、抗細菌金属を含む、請求項１４に記載の生ごみディスポーザ。
【請求項１７】
プラスチック部品が、埋め込み抗細菌薬剤で処理される、請求項１３に記載の生ごみディスポーザ。
【請求項１８】
プラスチック部品が、生ごみを粉砕室へ送る入口ハウジングを含む、請求項１３に記載の生ごみディスポーザ。
【請求項１９】
プラスチック部品が、粉砕室のためのハウジングを含む、請求項１３に記載の生ごみディスポーザ。
【請求項２０】
プラスチック部品が、食器洗浄機の入口を含む、請求項１３に記載の生ごみディスポーザ。
【請求項２１】
プラスチック部品が、分解された生ごみを、粉砕室内に配置された粉砕板の下で受け取るライナを含む、請求項１３に記載の生ごみディスポーザ。
【請求項２２】
プラスチック部品が、分解された生ごみを、ディスポーザから出す放出ラインを含む、請求項１３に記載の生ごみディスポーザ。
【請求項２３】
生ごみを分解するための粉砕室と、
生ごみに接触する取り外し可能なゴム部品とを備え、該ゴム部品が、細菌の増殖を抑制するために、抗細菌物質によって処理される、生ごみディスポーザ。
【請求項２４】
抗細菌物質が、抗細菌被覆を含む、請求項２３に記載の生ごみディスポーザ。
【請求項２５】
抗細菌被覆が、銀を含有する、請求項２４に記載の生ごみディスポーザ。
【請求項２６】
抗細菌物質が、ゴム部品に埋め込まれる、請求項２３に記載の生ごみディスポーザ。
【請求項２７】
ゴム部品が、生ごみディスポーザへの入口に配置可能なバッフルを含む、請求項２３に記載の生ごみディスポーザ。
【請求項２８】
ゴム部品が、ディスポーザが取り付けられるシンク内の排水開口内に配置可能である、請求項２３に記載の生ごみディスポーザ。
【請求項２９】
生ごみを分解するための粉砕室と、
振動を絶縁し、かつ生ごみに接触するゴム部品とを備え、ゴム振動絶縁部品が、細菌の増殖を抑制するように処理される、生ごみディスポーザ。
【請求項３０】
ゴム振動絶縁部品が、抗細菌被覆で処理される、請求項２９に記載の生ごみディスポーザ。
【請求項３１】
抗細菌被覆が、銀を含有する、請求項３０に記載の生ごみディスポーザ。
【請求項３２】
抗細菌被覆が、抗細菌金属を含む、請求項３０に記載の生ごみディスポーザ。
【請求項３３】
ゴム振動絶縁部品が、埋め込み抗細菌薬剤で処理される、請求項２９に記載の生ごみディスポーザ。
【請求項３４】
ゴム部品が、生ごみディスポーザをシンクに固定させる抗細菌マウントを含む、請求項２９に記載の生ごみディスポーザ。
【請求項３５】
ゴム部品が、テールパイプをディスポーザに連結するための振動絶縁放出継手を含む、請求項２９に記載の生ごみディスポーザ。
【請求項３６】
ゴム振動絶縁部品が、ディスポーザの重量を支える、請求項２９に記載の生ごみディスポーザ。
【請求項３７】
ディスポーザ内の粉砕室内に配置可能な、生ごみディスポーザのための粉砕機構であって、
粉砕ラグを備える破砕板と、
破砕板の周囲に配置された破砕リングとを備え、
破砕板、粉砕ラグ、および破砕リングのうちの少なくとも１つが、細菌の増殖を抑制するように処理される、粉砕機構。
【請求項３８】
被処理部品が、抗細菌被覆で処理される、請求項３７に記載の生ごみディスポーザ。
【請求項３９】
抗細菌被覆が、銀を含有する、請求項３８に記載の生ごみディスポーザ。
【請求項４０】
抗細菌被覆が、抗細菌金属を含む、請求項３８に記載の生ごみディスポーザ。
【請求項４１】
抗細菌被覆が、ロールコーティングされる、請求項３８に記載の生ごみディスポーザ。
【請求項４２】
抗細菌被覆が、粉末コーティングされる、請求項３８に記載の生ごみディスポーザ。
【請求項４３】
抗細菌被覆が、炭化水素結合剤を含む、請求項４２に記載の生ごみディスポーザ。
【請求項４４】
生ごみに接触する部品を備え、該部品が、細菌の増殖を抑制するように処理される、生ごみを分解する粉砕室。
【請求項４５】
破砕室が、生ごみディスポーザに組み込まれる、請求項４４に記載の粉砕室。
【請求項４６】
部品が、抗細菌被覆で処理される、請求項４４に記載の粉砕室。
【請求項４７】
抗細菌被覆が、銀を含有する、請求項４６に記載の粉砕室。
【請求項４８】
抗細菌被覆が、抗細菌金属を含む、請求項４６に記載の粉砕室。
【請求項４９】
抗細菌被覆が、ロールコーティングされる、請求項４６に記載の粉砕室。
【請求項５０】
抗細菌被覆が、粉末コーティングされる、請求項４６に記載の粉砕室。
【請求項５１】
抗細菌被覆が、炭化水素結合剤を含む、請求項５０に記載の粉砕室。
【請求項５２】
部品が、金属を含む、請求項４４に記載の粉砕室。
【請求項５３】
金属部品が、粉砕室内にシェダー板を含む、請求項５２に記載の粉砕室。
【請求項５４】
金属部品が、粉砕室の内側に固定された破砕リングを含む、請求項５２に記載の粉砕室。
【請求項５５】
金属部品が、生ごみを粉砕室へ送る入口ハウジングを含む、請求項５２に記載の粉砕室ディスポーザ。
【請求項５６】
金属部品が、粉砕室内に収容される破砕板に固定された粉砕ラグを含む、請求項５２に記載の粉砕室ディスポーザ。
【請求項５７】
金属部品が、食器洗浄機入口を含む、請求項５２に記載の粉砕室。
【請求項５８】
部品が、プラスチックを含む、請求項４４に記載の粉砕室。
【請求項５９】
部品が、ゴムを含む、請求項４４に記載の粉砕室。
【発明の詳細な説明】
【技術分野】
【０００１】
本発明は、全体的に、生ごみディスポーザに関し、より詳細には、１つまたは複数の抗細菌部品を有する生ごみディスポーザに関する。
【背景技術】
【０００２】
生ごみディスポーザは、当技術分野で知られており、通常、種々の金属、プラスチック、およびゴム部品でできている。生ごみは、水と共にシンクからディスポーザ内に送られ、ディスポーザ内で分解され、その後、家庭または商業施設の配管システム内に排出される。分解された生ごみは、バクテリア、菌、およびかびなどの種々の微生物の増殖を助長する可能性がある。これらの微生物は、ディスポーザ内で好ましくない臭気を生じる可能性がある。微生物は、また、ディスポーザ部品上にねばねばした膜を生じ、膜は、ディスポーザ内の取り付けガスケットおよび粉砕板などの、ディスポーザのユーザが触れる必要のある部品にとって特に好ましくなく、ユーザは、それを不潔であるか、または有害であるとおそらく認めるであろう。さらに、微生物は、プラスチックまたはゴム部品を劣化させ、それによって、ディスポーザおよびその種々の部品の寿命を減らすことによって、ディスポーザの動作を妨げる可能性がある。
【０００３】
これらの問題は、生ごみディスポーザの技術分野において長い間存続してきたが、当技術分野は、生ごみディスポーザの部品に対する抗細菌技術の適用についての非常に限られた開示しか含まない。たとえば、米国特許第５，９２４，６３５号では、ディスポーザののど部をシンクの排水開口に接続する可撓性シリンダが開示される。このシリンダは、有機または無機ヨウ素剤などの抗細菌薬剤の０．１％以上を添加することによって作成された、抗細菌ゴムで形成される。しかし、米国特許第５，９２４，６３５号は、こうした抗細菌処理についての限られた使用を示唆する。第１に、その特許は、可撓性シリンダ以外の部品に対する抗細菌技術の適用可能性を認めないか、または示唆しない。さらに、その特許は、こうしたゴム引き済み抗細菌部品が、無負荷軸受け、無振動絶縁容量で使用されるだけであるはずであると不正確に示唆している。たとえば、米国特許第５，９２４，６３５号特許の第５欄、ＩＩ、３７〜４５頁を参照されたい。さらに、ただ１つのタイプの抗細菌処理、すなわち、ゴムマトリクス内へのヨウ素剤の埋め込みが、開示される。簡潔に言えば、適切で、かつより包括的な解決策に対する必要性が、長い間考えられてきたにもかかわらず、当技術は、生ごみディスポーザにおける抗細菌部品の有用性をほとんど認めてこなかった。
【発明の開示】
【発明が解決しようとする課題】
【０００４】
その結果、こうした微生物の増殖を減らすか、またはなくすことができる部品を有する、生ごみディスポーザに対する必要性が当技術分野に存在し、この部品は、ディスポーザを使用中により清浄なままにし、ディスポーザを清浄にするのを容易にし、かつ臭気の可能性を減らすことを可能にする。本開示で提供されるこうした解決策は、部品の機能に対して大きな注意を払うことなく、ディスポーザ内の異なる部品の多くに対する適用可能性を有する。
【課題を解決するための手段】
【０００５】
１つまたは複数の抗細菌部品を有する生ごみディスポーザが開示される。
部品は、金属、プラスチック、またはゴムであり、好ましくは、少なくとも、生ごみと接触するディスポーザおよび／または部品のディスポーザの操作またはメンテナンス中に、ユーザが接触する可能性がある少なくともこれら部品を構成する。プラスチックおよびゴム部品は、抗細菌薬剤を埋め込まれるか、または、抗細菌薬剤でコーティングされることができる。金属部品は、好ましくは、粉末コーティングされる。こうした抗細菌処理が役立つディスポーザ内の例示的な部品は、金属破砕板、金属破砕リング、ゴム取り付けガスケット、ゴム振動絶縁マウント、ゴム振動絶縁テールパイプ軸継手、およびプラスチック放出出口、および関連するゴムシールを含む。
【０００６】
好ましい実施形態を構成する先の要約は、添付図面と共に読まれると、次に続く特定の実施形態の詳細な説明を参照して最もよく理解されるであろう。
【０００７】
１つまたは複数の抗細菌部品を有する開示される生ごみディスポーザは、種々の修正形態および代替形態を受けるが、ディスポーザの特定の実施形態は、図面において、例として示されており、本明細書で詳細に述べられる。図および書かれた記載は、本発明の概念の範囲を制限することを意図しない。むしろ、図および書かれた記載は、米国特許法第１１２条によって要求されるように、本発明の概念を当業者に説明するために提供される。
【発明を実施するための最良の形態】
【０００８】
明確にするために、抗細菌部品を有する生ごみディスポーザの実際の実施の全ての特徴が、以下に続く開示に述べられるわけではない。任意のこうした実際の実施の開発において、任意のこうしたプロジェクトと同様に、実施ごとに変わることになる開発者の特定の目的、たとえば、機械的およびビジネス関連の制約への追従を達成するために、多数の工業技術および設計の決定を行わなければならないことは、もちろん理解されよう。
【０００９】
Ａ．ディスポーザ部品の説明
本開示を主に推進するものは、食物ディスポーザのいくつかの部品が、細菌の増殖を抑制するように作られることができることであり、それによって、先に述べたように、ディスポーザを清浄に保ち、臭気を減らし、ディスポーザの細菌による劣化を防止するのに役立つ。炭化水素部品（たとえば、プラスチックまたはゴム）と金属部品の両方を強化することができる、抗細菌技術が開示される。これらの抗細菌技術の生ごみディスポーザにおける部品に対する適用可能性を開示する前に、当技術分野で開示されてきた生ごみディスポーザの種々の部品を再調査することが有益である。その後、本開示は、開示する抗細菌技術の使用によって、これらの部品の強化に向けられる。
【００１０】
図１を参照すると、生ごみディスポーザ１０の実施形態が、断面図で示される。生ごみディスポーザ１０およびその種々の部品に関するさらなる詳細は、参照によりその全体が本明細書に組み込まれる、米国特許第６，００７，００６号、米国特許第６，４８１，６５２号、および米国特許第６，４３９，４８７号に記載される。本実施形態では、ディスポーザ１０は、入口ハウジング２０、粉砕ハウジング３０、および電動機ハウジング５０を含む。電動機ハウジング５０は、円筒壁５２を形成する板金で構成される。下側端フレーム５４は、通常、打ち抜き金属から作られ、電動機ハウジング５０の下側端に取り付けられる。電動機ハウジング５０は、回転子６２、軸６４、固定子６６を含む電動機６０を収容する。知られているように、電動機６０は、電動機軸６４に回転運動を与え、回転運動は、シール／軸受け機構６５を通して、以下で説明する粉砕ハウジング３０内の部品に伝えられる。
【００１１】
粉砕ハウジング３０は、下側端フレーム５４および粉砕ハウジング３０に接続される複数のボルト５６によって、電動機ハウジング５０に取り付けられる。粉砕ハウジング３０は、周囲側壁３２、底部表面３４、および放出出口３６を有する。粉砕ハウジング３０は、生ごみを分解する粉砕機構４０を収容する。当技術分野で知られている多くの粉砕機構４０を使用して、参照によりその全体が本明細書に組み込まれる、米国特許第６，００７，００６号、および米国特許第６，４３９，４８７号、ならびに２００３年３月７日に出願され、「Ｆｏｏｄ  Ｗａｓｔｅ  Ｒｅｄｕｃｔｉｏｎ  Ｍｅｃｈａｎｉｓｍ  ｆｏｒ  Ｄｉｓｐｏｓｅｒ」という名称の米国仮出願第＿／＿号（代理人書類番号第１０８０７．０１３９．ＰＺＵＳ００）に開示されるディスポーザなどの、ディスポーザ１０において生ごみを分解することができる。これらの粉砕機構および他の粉砕機構は、ディスポーザ１０と共に使用することができ、開示される抗細菌技術が役立つことができる。
【００１２】
本実施形態では、粉砕機構４０は、回転破砕板４２および固定破砕リング４６を含む。回転破砕板４２は、電動機軸６４に取り付けられ、電動機軸６４は、ディスポーザ１０の動作中に破砕板４２に回転を与える。通常、回転破砕板４２は、固定されるか、または自由に回転することができる、板４２に固定されたラグ４４を有する。回転破砕板４２およびラグ４４は、好ましくは、ステンレス鋼で構成される。
【００１３】
固定破砕リング４６は、入口ハウジング２０の内部表面に取り付けられるが、特定の実施形態について、粉砕ハウジング３０が粉砕機構４０を取り囲む程度に応じて、粉砕ハウジング３０の内部壁３２にも取り付けられることができる。固定破砕リング４６は、好ましくは、打ち抜きステンレス鋼で構成される。別法として、固定破砕リング４６は、ＮｉＨａｒｄ、すなわち、５５０〜６００のブリネル硬度を有する耐摩耗性ニッケルクロミウムマルテンサイト白鋳鉄から鋳造することができる。固定破砕リング４６は、回転破砕板４２上のラグ４４とともに、生ごみを分解する複数の歯４７を含む。
【００１４】
本実施形態では、粉砕ハウジング３０は、ダイカスト金属で構成される。代替の実施形態では、粉砕ハウジング３０は、アクリロニトリル−ブタジエン−スチレン（ＡＢＳ）、ポリビニル−クロライド（ＰＶＣ）、ポリエステル、ポリフェニレン−サルファイド、または、おそらくバルクモールドコンパウンド（ＢＭＣ）などの、適したプラスチックで形成されることができる。粉砕機構４０によって分解された生ごみは、放出出口３６を通って粉砕ハウジング３０を出る。粉砕ハウジング３０は、ダイカスト金属で構成することができるため、プラスチックで構成されたライナ３３は、好ましくは、粉砕ハウジング３０内の放出出口３６へ向けて、分解された生ごみおよび水を送るのに使用されてもよい。
【００１５】
放出出口３６を出ると、分解された生ごみは、放出出口３６を廃棄物ライン３９に接続するテールパイプ３８に入る。テールパイプ３８の一端は、ゴム引き済み放出ガスケット３７ａおよび取り付けフランジ３７ｂを有する、当技術分野で知られる継手を使用して、放出出口３６に取り付けられる。パイプ３８の別の端は、当技術分野で知られる技術によって、家庭配管の廃棄物ライン３９に取り付けられる。放出出口３６を廃棄物ライン３９に接続する振動防止放出継手などの、他の放出継手も使用することができる。ゴム引き済み部品を有する振動絶縁放出継手は、参照によりその全体が本明細書に組み込まれる、２００２年１１月２０日に出願された、米国特許出願第１０／３００，２１９号に開示される。たとえば、図３は、米国特許出願第１０／３００，２１９号に開示される、振動絶縁放出継手の実施形態の断面図を示す。振動絶縁放出継手は、第１のテールパイプ部３８ａ、中間ゴム引き済み部３８ｂ、および第２のテールパイプ部３９ｃを有する。第１のテールパイプ部３８ａは、ディスポーザの放出出口（図示せず）に接続し、第２のテールパイプ部３８ｃは、廃棄物ライン３９に接続し、中間ゴム引き済み部３８ｂは、２つのテールパイプ３８ａ、３８ｃに相互接続する。ゴム引き済み部３８ｂは、ニトリル（ＮＢＲ）ゴム、ＥＰＤＭゴム、またはクロロブチル（ＣＩＩＲ）ゴムでできている可能性がある。この放出技術および継手、ならびに他の放出技術および継手は、ディスポーザ１０と共に使用されることができ、開示する抗細菌技術が役立つことができる。
【００１６】
図１に再び戻ると、入口ハウジング２０が、フランジ２６および複数のボルト２８（１個のみ示す）を使用して、粉砕ハウジング３０に取り付けられる。入口ハウジング２０は、円筒壁２２および入口２４を有する。本実施形態では、上側ハウジング２０は、好ましくは、ステンレス鋼で構成されるが、以下で述べるように、射出成形プラスチックで構成されることができる。入口ハウジング２０は、また、食器洗浄機（図示せず）からの水および廃棄物を受け取る食器洗浄機入口２３を含むことができる。食器洗浄機入口２３は、好ましくは、アクリロニトリル−ブタジエン−スチレン（ＡＢＳ）、ポリビニル−クロライド（ＰＶＣ）、ポリエステル、ポリフェニレン−サルファイドなどの、射出成形プラスチックで構成されるが、ステンレス鋼などの金属で構成されることができる。
【００１７】
ハウジング２０の入口２４は、取り付け機構１２を使用して、シンク（図示せず）に取り付けられる。ディスポーザ１０をシンクに取り付けるために、当技術分野で知られる多くの取り付け機構を使用することができる。本実施形態では、使用される取り付け機構１２は、参照によりその全体が本明細書に組み込まれる、米国特許第３，０２５，００７号に開示される取り付け機構と同じである。取り付け機構１２は、シンクフランジ１４および取り付けガスケット１６を含む。他の取り付け技術および装置を、ディスポーザ１０と共に使用することができる。たとえば、ディスポーザ１０と共に使用するための振動絶縁取り付け装置は、参照によりその全体が本明細書に組み込まれる、２００２年１１月２０日に出願された米国特許出願第１０／３００，２１９号に開示される。別の例では、参照によりその全体が本明細書に組み込まれる、２００３年４月１日に出願され、「Ｏｖｅｒ−Ｍｏｌｄｅｄ  Ｖｉｂｒａｔｉｏｎ  Ｉｓｏｌａｔｉｏｎ  Ｇａｓｋｅｔ  ｆｏｒ  Ｍｏｕｎｔｉｎｇ  Ｆｏｏｄ  Ｗａｓｔｅ  Ｄｉｓｐｏｓｅｒ  ｔｏ  Ｓｉｎｋ」という名称の、米国出願第＿／＿号（代理人書類番号第１０８０７．０１４２．ＮＰＵＳ００）は、ディスポーザ１０のシンクへの取り付け部における振動を絶縁するのに使用することができる、ゴム引き済み取り付けガスケットを有する振動絶縁取り付け装置を開示する。図４では、ディスポーザ１０のハウジング２０の上部にオーバーモールドされた部分１７を有する、その出願からの１つのこうした取り付けガスケット１６が示される。これらの取り付け装置および他の取り付け装置は、ディスポーザ１０と共に使用されることができ、開示される抗細菌技術が役立つことができる。振動絶縁マウントのこうしたゴム引き済み部分は、ニトリル（ＮＢＲ）ゴム、ＥＰＤＭゴム、クロロブチル（ＣＩＩＲ）ゴム、またはネオプレンゴムで形成されることができる。
【００１８】
図４では、停止部１９が、シンクフランジ１４の開口内に示される。停止部１９は、シンクフランジ１４内に取り外し可能に嵌まり、シンクからディスポーザ１０の入口２４（図１）を完全に閉じる、または部分的に閉じることができる。停止部１９は、プラスチック、ゴム、金属、またはこれらの材料の組み合わせで構成されることができる。たとえば、停止部１９は、主に、プラスチックまたはステンレス鋼で構成され、その周囲にゴムシールを有してもよい。停止部１９は、シンクに水を保持するのに使用されることができるか、または、参照によりその全体が本明細書に組み込まれる、２００３年３月１４日に出願され、「Ｓｗｉｔｃｈｉｎｇ  Ｍｅｃｈａｎｉｓｍ  ｆｏｒ  ａ  Ｂａｔｃｈ  Ｆｅｅｄ  Ｗａｓｔｅ  Ｄｉｓｐｏｓｅｒ」という名称の米国出願第＿／＿号（代理人書類番号第１０８０７．０１４１．ＮＰＵＳ００）に開示されるような、バッチ供給動作中に、ディスポーザ１０を動作させるのに使用されることができる。この停止部構造および他のこうした停止部構造は、ディスポーザ１０と共に使用されることができ、開示される抗細菌技術が役立つことができる。
【００１９】
図１では、ディスポーザ１０の入口２４は、シンクフランジ１４の開口内で使用されるバッフル１８と共に示される。バッフル１８は、シンクフランジ１４内に取り外し可能に嵌まるが、２００１年１１月２９日に出願され、「Ｆｏｏｄ  Ｗａｓｔｅ  Ｄｉｓｐｏｓｅｒ  Ｈａｖｉｎｇ  Ｍｅｃｈａｎｉｓｍ  ａｎｄ  Ｍｅｔｈｏｄ  ｆｏｒ  Ｃｒｅａｔｉｎｇ  ａ  Ｗａｔｅｒ  Ｂａｆｆｌｅ  ｔｏ  Ｒｅｄｕｃｅ  Ｎｏｉｓｅ」という名称の米国特許出願第０９／９９７，６７８号、および２００２年２月４日に出願され、「Ｂａｆｆｌｅ  ｆｏｒ  ａ  Ｆｏｏｄ  Ｗａｓｔｅ  Ｄｉｓｐｏｓｅｒ  ｔｏ  Ｒｅｄｕｃｅ  Ｎｏｉｓｅ  ａｎｄ  Ａｓｓｏｃｉａｔｅｄ  Ｍｅｔｈｏｄｓ」という名称の米国特許出願第１０／０６６，８９３号（共に、参照によりその全体が本明細書に組み込まれる）に開示されるバッフル構造などの、他のバッフル構造を使用することができる。これらのバッフル構造および他のこうしたバッフル構造は、ディスポーザ１０と共に使用されることができ、開示される抗細菌技術が役立つことができる。
【００２０】
ここで図２を参照すると、生ごみディスポーザ１０の別の実施形態が、断面図で示され、説明されるように、図１のディスポーザの構成といくつかの点で異なる。図２では、同じ参照符号は、図１の実施形態と実質的に類似する部品を示し、そのため、それら部品の説明は、ここでは繰り返されない。
【００２１】
図２の入口ハウジング２０は、好ましくは、耐衝撃性、耐熱性、および耐食性を示す射出成形プラスチックで構成される。ハウジング２０のためのある適したプラスチック材料は、アクリロニトリル−ブタジエン−スチレン（ＡＢＳ）、ポリビニル−クロライド（ＰＶＣ）、およびポリエステル、ポリフェニレン−サルファイドを含む。
【００２２】
図２の粉砕ハウジング３０は、入口ハウジング２０に一体に取り付けられたプラスチック側壁３２から形成される。金属上側端フレーム３５は、一体ハウジング２０、３０を、電動機ハウジング５０から分離するのに使用される。粉砕ハウジング３０、プラスチック側壁３２、および金属上側端フレーム３５に関するさらなる詳細は、参照によりその全体が本明細書に組み込まれる、米国特許第６，００７，００６号に開示される。プラスチック側壁３２は、射出成形プラスチックの単一のエンクロージャを形成するために、射出成形され、かつ射出成形された入口ハウジング２０と一体に形成される。金属上側端フレーム３５は、好ましくは、両面亜鉛メッキの冷間圧延鋼、冷間圧延鋼、ステンレス鋼、または他のタイプの鋼などの、打ち抜き金属で構成され、従来の冷間打ち抜き技術を使用して形成される。別法として、上側端フレーム３５は、ＡＢＳまたはＰＶＣなどの、構造的に剛性のあるプラスチック材料で構成されることができる。一体ハウジング２０、３０によって形成されるエンクロージャは、下側端フレーム５４に接続する自己タッピングねじ山を有する複数のボルト５６によって、電動機ハウジング５０に固定される。
【００２３】
図１および図２の生ごみディスポーザ１０は、効率的に、かつ効果的に動作するが、他の生ごみディスポーザと同様に、バクテリア、菌、およびかびなどの細菌の増殖を受け易い、湿潤でかつ有機の環境を提供する。たとえば、入口ハウジング２０および粉砕ハウジング３０、シンクフランジ１４、取り付けガスケット１６、およびバッフル１８などの取り付け機構１２の部品、粉砕機構４０の部品、およびテールパイプ３８は、生ごみおよび水に遭遇する。それに応じて、ディスポーザ１０のこれらの部品および他の部品は、細菌の増殖を助長する可能性がある。これを防ぐために、生ごみディスポーザ１０のこれらの（または他の）部品の１つまたは複数は、好ましくは、以下で説明する抗細菌機構を含む。
【００２４】
Ｂ．埋め込み抗細菌薬剤を有するディスポーザの部品
１．埋め込み抗細菌薬剤を有するプラスチック部品
本開示の一態様によれば、ディスポーザ１０の１つまたは複数のプラスチック部品は、好ましくは、抗細菌薬剤が部品の材料に埋め込まれた状態で形成される。開示される抗細菌処理を自らもたらす、適したプラスチック部品は、プラスチック入口ハウジング２０（図１）、一体プラスチックハウジング部２０および３０（図２）、プラスチック食器洗浄機入口２３、プラスチック粉砕ハウジング３０（図１および図２）、プラスチックライナ３３（図１）、プラスチック上側端フレーム３５（図２）、およびプラスチックテールパイプ３８を含むが、他のプラスチック部品が、同様に処理されることができる。
【００２５】
抗細菌薬剤のいくつかの製造業者、およびディスポーザ１０のプラスチック部品と共に使用することができる、プラスチック材料内に薬剤を埋め込むいくつかの技術が、存在する。一例では、ポリマ材料で構成されるディスポーザ部品の表面は、参照によりその全体が本明細書に組み込まれる、米国特許第５，５２０，６６４号に開示される技術を使用して、銀などの非浸出抗細菌金属で含浸されることができる。
【００２６】
別の例では、ＭＩＣＲＯＢＡＮ  Ｉｎｔｅｒｎａｔｉｏｎａｌ  Ｌｔｄ．から得ることができるＭＩＣＲＯＢＡＮ（商標）添加剤は、ディスポーザ１０のプラスチック部品に埋め込むのに適した抗細菌薬剤である。ＭＩＣＲＯＢＡＮ添加剤などの抗細菌薬剤の使用に関連する特定の教示は、参照によりその全体が本明細書に組み込まれる、米国特許第４，５３３，４３５号、米国特許第５，９１９，５５４号、米国特許第６，１０８，８４７号、米国特許第６，１７１，４９６号、米国特許第６，２３８，５７５号、米国特許第６，２８３，３０８号、米国特許第６，４４８、３０５号、米国特許第６，５３１，５１９号、米国特許第６，５４０，９１５号、および米国特許第６，５４０，９１６号に開示される。
【００２７】
一般に、ＭＩＣＲＯＢＡＮは、プラスチック部品を作るのに使用される樹脂内に組み込まれる添加剤を構成する。ＭＩＣＲＯＢＡＮ添加剤およびプラスチック部品用の樹脂は、ディスポーザ１０のプラスチック部品を形成するために、一緒に混合され、溶融され、型に押出される。このプロセスを通して、添加剤の活性抗細菌薬剤が、ディスポーザ１０のプラスチック部品の分子構造内に構築される。抗細菌薬剤は、ディスポーザ部品のためにプラスチック材料と完全に混合されるため、抗細菌薬剤は、ディスポーザ１０の使用可能な寿命の間、洗い流されず、または摩耗しないであろう。さらに、ディスポーザ１０の部品内に存在する可能性がある、種々の切り口、引っかき部、隅、および洗浄の難しいエリアは、やはり抗細菌防護されることができる。
【００２８】
ディスポーザ１０のプラスチック部品に添加するべき抗細菌薬剤の適切な濃度およびタイプを選択する時に、多数の要素を考慮することが必要である場合がある。たとえば、プラスチックのタイプは、使用されるべき抗細菌薬剤の濃度およびタイプを指示してもよい。さらに、生ごみに頻繁に曝されるプラスチック部品には、より高い濃度の抗細菌添加剤が必要とされる場合がある。たとえば、ディスポーザ１０のプラスチック食器洗浄機入口２３は、プラスチックハウジング２０、３０より低い濃度の抗細菌薬剤を必要とする場合がある。ＡＢＳで構成されるプラスチックハウジング２０、３０の場合、約２０００ｐｐｍの濃度のＳＡＮ／Ｂ＃２１００−１００のＭＩＣＲＯＢＡＮ添加剤パッケージは、許容可能なバクテリアおよび菌防護を、実質的に低い充填レベルで生じることが示された。この添加剤は、塩素添加フェノキシを含むが、ジヨードメチル−ｐ−トリルサルフォン（ＭＩＣＲＯＢＡＮ（商標）ＡＦ）などの他の薬剤、または両方を一緒に使用することができる。もちろん、この添加剤およびその濃度は、具体的に示すためだけであり、修正が可能であることを、当業者は理解するであろう。
【００２９】
２．埋め込み抗細菌薬剤を有するゴム部品
ディスポーザ１０の１つまたは複数ゴム部品は、また、抗細菌薬剤がゴム材料に埋め込まれた状態で形成されることができる。こうした処理が役立つディスポーザ１０のゴム部品は、たとえば、取り付けガスケット１６、バッフル１８、および放出ガスケット３７ｂを含む。さらに、図３に示すような、振動絶縁放出継手のゴム引き済み部品、および図４に示すような、振動絶縁取り付け装置のゴム部品は、また、抗細菌薬剤を材料内に埋め込むことが役立つことができる。好ましくは、抗細菌薬剤が、射出成形プロセスの前に、ゴム部品のためのゴム材料に添加され、抗細菌薬剤が、部品の動作寿命の間、洗い流される、または磨耗することを防止する。
【００３０】
一例では、ニトリル（ＮＢＲ）ゴム、ＥＰＤＭゴム、またはクロロブチル（ＣＩＩＲ）ゴムで好ましくは形成される、取り付け機構１２の取り付けガスケット１６（図１）は、約１０００ｐｐｍの濃度を有するＭＩＣＲＯＢＡＮ添加剤パッケージＢ／ＡＦ＃１０１００−９０９などの埋め込み抗細菌薬剤を含むことができる。こうして作製された取り付けガスケットは、許容可能なバクテリアおよび菌防護を、取り付けガスケットの材料の実質的に低い充填レベルで生じることが示された。同様な濃度および添加剤は、また、図１のゴム引き済みバッフル１８などの、ゴムで構成されたディスポーザ１０の種々の他の部品、および上述した振動絶縁部品に使用されることができる。
【００３１】
Ｃ．他の修正
他の埋め込み可能な抗細菌薬剤、およびこうした薬剤を含有するプラスチックを、ディスポーザ１０と共に使用することができる。たとえば、Ｗｅｌｌｓ  Ｐｌａｓｔｉｃｓは、Ｔｒｉｃｏｌｓａｎに基づくＴシリーズ、およびＩＯＮＰＵＲＥ、無機銀ベース化合物を含む、ポリマのための抗細菌薬剤を提供する。Ｗｅｌｌｓ  Ｐｌａｓｔｉｃｓは、また、ＤｕｐｏｎｔのＭＩＣＲＯＦＲＥＥおよびＡｋｚｏ  ＮｏｂｅｌのＩＮＴＥＲＣＩＤＥを含む、プラスチックおよび／またはゴムと共に使用するための他の抗細菌添加剤を提供する。英国、マンチェスター、エクルス（Ｅｃｃｌｅｓ，Ｍａｎｃｈｅｓｔｅｒ，ＵＫ）のＡｋｃｒｏｓ  Ｃｈｅｍｉｃａｌｓは、可撓性ＰＶＣにおいて使用されることができるＩＮＴＥＲＣＩＤＥ製品を提供し、他のプラスチック用の殺生物剤も提供する。特に、ＩＮＴＥＲＣＩＤＥ  ＤＰ８４３８Ｆは、ポリオレフィンと共に使用することができ、ポリオレフィンおよびＩＮＴＥＲＣＩＤＥで構成される製品の表面に抗細菌特性を与えることができる。バージニア州ニューポートニューズ市（Ｎｅｗｐｏｒｔ  Ｎｅｗｓ，Ｖｉｒｇｉｎｉａ）のＰＢＭ  Ｐｌａｓｔｉｃｓは、リン酸ジルコニウムベースのセラミック、銀を含有するイオン交換樹脂を含む抗細菌材料を提供する。知られているように、銀は、他の抗細菌金属と同様に、臭気、変色、生物付着、および他の美的問題を引き起こす広い範囲の微生物に対して有効である。コネチカット州ノーウォーク（Ｎｏｒｗａｌｋ、ＣＴ）のＲ．Ｔ．Ｖａｎｄｅｒｂｉｌｔ  Ｃｏｍｐａｎｙは、ゴムおよびプラスチック化合物内の敏感な可塑剤のための防腐剤の役目を果たす、ＶＡＮＣＩＤＥ８９と呼ぶ、殺生物剤／殺菌剤を提供する。そのため、ＶＡＮＣＩＤＥ８９は、菌によって引き起こされるゴム部品の分解および劣化、ならびに菌によって発せられる臭気を減らすことができる。Ｅｎｓｉｎｇｅｒ  Ｇｍｂｈは、バクテリア、酵母、かび、および菌の増殖および移動を防止する、抗細菌剤ＡＧＩＯＮを含有する抗細菌プラスチックを提供する。抗細菌剤ＡＧＩＯＮは、効果が長期にわたるように、制御された方法で銀イオンが放出される投与システムに基づいており、大腸菌、サルモネラ菌、ぶどう球菌などの細菌の増殖を抑制することがわかっている。
【００３２】
Ｃ．抗細菌被覆を有するディスポーザの部品
被覆は、また、生ごみディスポーザ１０内の種々の部品に対して抗細菌性を提供するのに使用されてもよい。こうした部品は、好ましくは、金属で構成されるが、プラスチックまたはゴムで形成されてもよい。
【００３３】
１．抗細菌被覆を有する金属部品
ディスポーサ１０の１つまたは複数の金属部品は、好ましくは、抗細菌被覆をコーティングされる。こうした処理を自らもたらす、ディスポーサ１０の適した金属部品は、金属シンクフランジ１２、金属入口ハウジング２０（図１）、金属粉砕ハウジング３０（図１）、破砕板４２、ラグ４４、破砕リング４６、金属上側端フレーム３５（図２）を含むが、それらに限定されず、他の金属部品が、同様に処理されることができる。さらに、金属電動機ハウジング５０および下側端フレーム５４は、また、少なくともその外側表面に付けられることが好ましいことがある抗細菌被覆を有することができるが、頻繁に生ごみに接触するか、またはユーザが接触する可能性のある、これら金属部品に被覆を提供することが特に好ましい。
【００３４】
ディスポーザ１０の金属部品をコーティングするのに使用することができる、いくつかの抗細菌被覆が存在する。ディスポーザ１０の金属部品と共に使用するための好ましい抗細菌被覆は、ＡＧＩＯＮ  Ｔｅｃｈｎｏｌｏｇｉｅｓから得ることができる、ＡＧＩＯＮ（商標）抗細菌化合物を含む。ＡＧＩＯＮなどの抗細菌薬剤の特定の教示は、参照によりその全体が本明細書に組み込まれる、米国特許第６，２４８，３４２号、米国特許第６，２６７，５９０号、米国特許第６，２９６，８６３号、米国特許第６，３６５，１３０号、および米国特許第６，４３６，４２２号に開示される。一般に、ＡＧＩＯＮは、ゼオライトなどの自然に生じるセラミック材料に結合する、活性な銀イオン成分を有する抗細菌化合物である。銀ゼオライトの組み合わせは、粉末に形成され、２つの方法の一方によって、金属部品（たとえば、図１の入口ハウジング２０）に付けられることができるエポキシ樹脂に混合され、この２つの方法は、ＡＧＩＯＮエポキシで部品をロールコーティングすること、および粉末コーティングすることであり、粉末コーティングにおいて、ＡＧＩＯＮエポキシは、微細粉末に形成され、当技術分野で知られており、以下でさらに述べる技術によって、ディスポーザ部品に静電的に誘引される。
【００３５】
知られているように、細菌の増殖は、周囲の空気中の湿気を含む湿気に曝されると、金属ハウジングなどの金属部品上発生する可能性がある。抗細菌薬剤をコーティングされると、湿気は、被覆からの銀イオンの放出を引き起こし、銀イオンは、細菌の表面の複数の結合部位と相互作用することによって、細菌を殺すことができる。好ましくは、抗細菌被覆は、たとえ湿気が増加しても、銀が非常にゆっくりと放出され、コーティングされた金属ハウジング２０に対する長期の防護を確実にするように、銀の最大放出レートを有する。他の抗細菌金属は、同様に使用されることができる。
【００３６】
図１に述べるステンレス鋼入口ハウジング２０などの、ディスポーザ１０の金属部品をコーティングするために、部品を抗細菌薬剤で粉末コーティングすることが好ましい。粉末コーティングするとき、被覆の微細粒子が、静電気的に帯電され、コーティングされるべき部品の表面に噴射される。これらの帯電した粉末粒子は、加熱され、溶融して、均一でかつ耐久性のある被覆になるまで、表面に付着する。ＤｕＰｏｎｔの粉末コーティング技術は、金属に対して比較的にひっかき抵抗性があり、かつ耐摩耗性のある被覆を作成するために、抗細菌薬剤ＡＧＩＯＮを使用するコーティング技術の一例である。ＡＧＩＯＮ抗細菌薬剤は、エポキシ、ポリエステル、エポキシ／ポリエステルハイブリッド、およびアクリルなどの種々の炭化水素結合剤に直接に組み込まれることができる。ＡＧＩＯＮを有する粉末被覆は、その後、ＤｕＰｏｎｔ  ＲＡＹ−ＴＥＣＨ  紫外（ＵＶ）、および近赤外（ＮＩＲ）粉末コーティング技術を使用した従来の粉末コーティングと同様に、付けられかつ硬化されることができる。
【００３７】
抗細菌被覆は、また、破砕板４２、ラグ４４、および破砕リング４６などの、ディスポーザ１０の粉砕機構４０の金属部品に付けられることができる。上述したように、破砕板４２およびラグ４４は、好ましくは、ステンレス鋼で構成され、破砕リング４６は、好ましくは、ステンレス鋼またはＮｉＨａｒｄで構成される。粉砕機構４０のこれらの部品は、衝撃力を受け易く、衝撃力は、部品に付けられた抗細菌被覆をかきとるか、または磨耗させる可能性がある。したがって、ＤｕＰｏｎｔによって提供され、先に説明した被覆などの、実質的に金属に関してひっかき抵抗性がありかつ耐摩耗性のある被覆は、好ましくは、これらの部品に使用される。
【００３８】
２．抗細菌被覆を有するプラスチックおよび／またはゴム部品
ディスポーザ１０のプラスチックおよび／またはゴム部品は、また、抗細菌被覆をコーティングされることができる。こうしたコーティングが役立つディスポーザ１０の適したプラスチックおよびゴム部品は、プラスチック入口ハウジング２０（図１）、一体ハウジング部２０および３０（図２）、食器洗浄機入口２３、プラスチック粉砕ハウジング３０、ライナ３３（図１）、プラスチック上側端フレーム３５（図２）、テールパイプ３８、取り付けガスケット１６、バッフル１８、および放出ガスケット３７ｂを含む。さらに、図３に示すような、振動絶縁放出継手のゴム引き部品、および、図４に示し、本明細書に組み込まれる、振動絶縁取り付け装置のゴム引き部品は、また、抗細菌被覆を有することが役立つことができる。
【００３９】
上述した金属部品と共に使用することができる抗細菌被覆は、また、ディスポーザ１０のゴムおよびプラスチック部品をコーティングするのに使用されてもよい。たとえば、図１および図２のプラスチックハウジング２０、３０などの、ディスポーザ１０のプラスチックおよびゴム部品、図１の取り付けガスケット１６などは、ＡＧＩＯＮまたは他の抗細菌金属を含有する化合物などの、抗細菌薬剤を有する抗細菌被覆を表面コーティングされることができる。
【００４０】
ディスポーザ１０の部品についての適切な抗細菌コーティングを選択する時に、多数の要素を考慮することが必要である場合がある。たとえば、被覆に対する温度の作用、被覆の予想寿命、被覆のひっかき抵抗性および耐摩耗性、被覆の可撓性（可撓性のある部品に付けられるとすると）、および種々の微生物に対する有効性が、考慮されるべきである。
【００４１】
Ｄ．要約
簡潔に言えば、先の開示は、生ごみディスポーザを構成する多くの部品、または全ての部品は、大幅な制限を受けることなく、かつよく知られている技術を使用して、薬剤耐性であるようにされることができる。部品を抗細菌性にするための種々の方法、ならびにこれら部品に関する種々な材料は、先に別々に説明されたが、生ごみディスポーザを作製する時に、開示された部品およびその処理方法の任意の組み合わせを使用することができることを、当業者は理解するであろう。
【００４２】
本開示で使用されるように、プラスチックとゴムは、互いに異なる。「抗細菌金属」は、米国特許第５，５２０，６６４号の第５欄、ＩＩ、３〜８頁に与えられる規定と一貫性があり、クロム、ジルコニウム、アルミニウム、ニッケル、タングステン、モリブデン、タンタル、プラチナ、パラジウム、イリジウム、金、銀、水銀、銅、亜鉛、カドミウム、およびそれらの合金または化合物を含む、抗細菌特性を示す元素のことを言う。抗細菌金属は、塩素、臭素、またはヨウ素などのハロゲン元素を含まない。
【００４３】
好ましい実施形態および他の実施形態の先の説明は、出願人が考える本発明の概念の範囲または適用可能性を限定または制約することを意図しない。本発明は、本発明が特許請求項またはその等価物の範囲内に入る限りにおいて、全ての修正および変更を含むことが意図される。
【図面の簡単な説明】
【００４４】
【図１】生ごみディスポーザの一実施形態の断面図である。
【図２】生ごみディスポーザの別の実施形態の断面図である。
【図３】テールパイプをディスポ−ザに接続するための例示的な振動絶縁放出継手の断面図である。
【図４】ディスポーザをシンクに取り付けるための振動絶縁取り付けデバイスを有する、生ごみディスポーザの一部の断面図である。
【図１】
2006528054.tif 000003
【図２】
2006528054.tif 000004
【図３】
2006528054.tif 000005
【図４】
2006528054.tif 000006
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
生ごみディスポーザであって、
生ごみを分解するための粉砕室と、
粉砕室の内壁に取り付けられ、複数の歯を有する固定破砕リングと、
上側回転板、および回転破砕板に隣接する下側支持板を有する回転破砕板アセンブリと、
上側回転板および下側支持板を通して延びる固定部材によって、上側回転板に取り付けられる複数のラグとを備え、該ラグが、生ごみを固定破砕リングに対して押し当てて、生ごみを粒状物質に粉砕するように、上側回転板に対して回転可能であり、
粉砕室、固定破砕リング、および回転破砕板アセンブリが、金属でできており、かつ細菌の増殖を抑制するように処理される、生ごみディスポーザ。
【請求項２】
粉砕室、固定破砕リング、および回転破砕板アセンブリが、抗細菌被覆で処理される、請求項１に記載の生ごみディスポーザ。
【請求項３】
抗細菌被覆が、銀を含有する、請求項２に記載の生ごみディスポーザ。
【請求項４】
抗細菌被覆が、抗細菌金属を含む、請求項２に記載の生ごみディスポーザ。
【請求項５】
抗細菌被覆が、ロールコーティングされる、請求項２に記載の生ごみディスポーザ。
【請求項６】
抗細菌被覆が、粉末コーティングされる、請求項２に記載の生ごみディスポーザ。
【請求項７】
抗細菌被覆が、炭化水素結合剤を含む、請求項６に記載の生ごみディスポーザ。
【請求項８】
生ごみを粉砕室に送る入口ハウジングをさらに備え、該入口ハウジングが、金属でできており、かつ細菌の増殖を抑制するように処理される、請求項１に記載の生ごみディスポーザ。
【請求項９】
細菌の増殖を抑制するように処理された食器洗浄機入口をさらに備える、請求項１に記載の生ごみディスポーザ。
【請求項１０】
生ごみディスポーザであって、
生ごみを受け取る第１の成形プラスチックハウジングを含む入口ハウジングと、
電動機軸に回転運動を与える電動機を含む電動機ハウジングと、
生ごみを分解するための粉砕室とを備え、該粉砕室が、入口ハウジングと電動機ハウジングとの間に配設され、入口ハウジングが、生ごみを粉砕室に搬送し、粉砕室が、一部が電動機軸に取り付けられている粉砕機構を含み、粉砕機構が、生ごみを粒状物質に粉砕し、粉砕室が、粉砕機構を取り囲み、かつ第１のプラスチックハウジングと一体に形成された第２の成形プラスチックハウジングを含み、第２の成形プラスチックハウジングが、放出出口を形成し、
第１の成形プラスチックハウジング、第２の成形プラスチックハウジング、および放出出口が、細菌の増殖を抑制するように処理される、生ごみディスポーザ。
【請求項１１】
第１の成形プラスチックハウジング、第２の成形プラスチックハウジング、および放出出口が、抗細菌被覆で処理される、請求項１０に記載の生ごみディスポーザ。
【請求項１２】
抗細菌被覆が、銀を含有する、請求項１１に記載の生ごみディスポーザ。
【請求項１３】
抗細菌被覆が、抗細菌金属を含む、請求項１１に記載の生ごみディスポーザ。
【請求項１４】
第１の成形プラスチックハウジング、第２の成形プラスチックハウジング、および放出出口が、埋め込み抗細菌薬剤で処理される、請求項１０に記載の生ごみディスポーザ。
【請求項１５】
プラスチックでできており、かつ細菌の増殖を抑制するように処理された食器洗浄機入口をさらに備える、請求項１０に記載の生ごみディスポーザ。
【請求項１６】
粉砕室内に配置された粉砕板の下で、分解された生ごみを受け取るライナをさらに備え、該ライナが、プラスチックでできており、かつ細菌の増殖を抑制するように処理される、請求項１０に記載の生ごみディスポーザ。
【請求項１７】
生ごみに接触する取り外し可能なゴム部品をさらに備え、該ゴム部品が、細菌の増殖を抑制するために抗細菌物質によって処理される、請求項１に記載の生ごみディスポーザ。
【請求項１８】
抗細菌物質が、抗細菌被覆を含む、請求項１７に記載の生ごみディスポーザ。
【請求項１９】
抗細菌被覆が、銀を含有する、請求項１８に記載の生ごみディスポーザ。
【請求項２０】
抗細菌物質が、ゴム部品に埋め込まれる、請求項１７に記載の生ごみディスポーザ。
【請求項２１】
ゴム部品が、生ごみディスポーザへの入口に配置可能なバッフルを含む、請求項１７に記載の生ごみディスポーザ。
【請求項２２】
ゴム部品は、ディスポーザが取り付けられるシンク内の排水開口内に配置可能である、請求項１７に記載の生ごみディスポーザ。
【請求項２３】
振動を絶縁し、かつ生ごみに接触するゴム部品をさらに備え、ゴム振動絶縁部品が、細菌の増殖を抑制するように処理される、請求項１に記載の生ごみディスポーザ。
【請求項２４】
ゴム振動絶縁部品が、抗細菌被覆で処理される、請求項２３に記載の生ごみディスポーザ。
【請求項２５】
抗細菌被覆が、銀を含有する、請求項２４に記載の生ごみディスポーザ。
【請求項２６】
抗細菌被覆が、抗細菌金属を含む、請求項２４に記載の生ごみディスポーザ。
【請求項２７】
ゴム振動絶縁部品が、埋め込み抗細菌薬剤で処理される、請求項２３に記載の生ごみディスポーザ。
【請求項２８】
ゴム部品が、生ごみディスポーザをシンクに固着させる抗細菌マウントを含む、請求項２３に記載の生ごみディスポーザ。
【請求項２９】
ゴム部品が、テールパイプをディスポーザに連結するための振動絶縁放出継手を含む、請求項２３に記載の生ごみディスポーザ。
【請求項３０】
ゴム振動絶縁部品が、ディスポーザの重量を支える、請求項２３に記載の生ごみディスポーザ。
【請求項３１】
ディスポーザ内の粉砕室内に配置可能な、生ごみディスポーザのための粉砕機構であって、
破砕板と、
破砕板に隣接し、かつ上側回転板を通して延びる複数の固定破砕ラグを有する下側支持板と、
破砕板の周囲に配置された破砕リングとを備え、
破砕板、粉砕ラグ、下側支持板、および破砕リングのうちの少なくとも１つが、細菌の増殖を抑制するように処理される、粉砕機構。
【請求項３２】
被処理部品が、抗細菌被覆で処理される、請求項３１に記載の生ごみディスポーザ。
【請求項３３】
抗細菌被覆が、銀を含有する、請求項３２に記載の生ごみディスポーザ。
【請求項３４】
抗細菌被覆が、抗細菌金属を含む、請求項３２に記載の生ごみディスポーザ。
【請求項３５】
抗細菌被覆が、ロールコーティングされる、請求項３２に記載の生ごみディスポーザ。
【請求項３６】
抗細菌被覆が、粉末コーティングされる、請求項３２に記載の生ごみディスポーザ。
【請求項３７】
抗細菌被覆が、炭化水素結合剤を含む、請求項３６に記載の生ごみディスポーザ。
【請求項３８】
食器洗浄機入口をさらに備え、第１および第２のプラスチックハウジングならびに食器洗浄機入口が、ＡＢＳで構成され、第１および第２のプラスチックハウジングが、埋め込み抗細菌薬剤の約２，０００ｐｐｍの濃度を有し、食器洗浄機入口が、埋め込み抗細菌薬剤の２，０００ｐｐｍ未満の濃度を有する、請求項１４に記載の生ごみディスポーザ。
【請求項３９】
生ごみに接触する取り外し可能なゴム部品をさらに備え、該ゴム部品が、約１，０００ｐｐｍの濃度を有する埋め込み抗細菌薬剤を含む、請求項３８に記載の生ごみディスポーザ。
【国際調査報告】
2006528054.tif 000007
2006528054.tif 000008
2006528054.tif 000009